(57)【要約】【課題】一般鋼で成形されて枠組みされ、枠組状態で応力の集中する強度の必要なフレーム部分に熱処理を施して高張力鋼同等の強度を得る。【解決手段】フレーム・メンバー１３、１４、１５、１６および２３、２４、２５、２６が一般鋼で成形されて一体的に枠組され、そして、その枠組状態でその強度の必要なフレーム部分あるいはその枠組全体に高周波焼入れ、液体浸炭、ガス浸炭などの何れかの熱処理を施して使用する。【選択図】図１
2011235789.tif 000002
【特許請求の範囲】
【請求項１】
フレームは、フレーム・メンバーが一般鋼で成形されて一体的に枠組され、そして、その枠組状態でその強度の必要なフレーム部分あるいはその枠組全体に高周波焼入れ、液体浸炭、ガス浸炭などの何れかの熱処理を施して使用するところの熱処理シート・フレーム。
【請求項２】
フロント・フレーム・メンバーおよび左右のサイド・フレーム・メンバーが一般鋼から複雑な形状に成形され、それらにリア・フレーム・メンバーを用いて一体的に枠組され、そして、その枠組状態でその強度の必要なフロント・フレーム・メンバーおよび左右のサイド・フレーム・メンバーあるいはその枠組全体に高周波焼入れ、液体浸炭、ガス浸炭などの何れかの熱処理を施して使用するところの熱処理シート・クッション・フレーム。
【請求項３】
ボトム・フレーム・メンバーおよび左右のサイド・フレーム・メンバーが一般鋼から複雑な形状に成形され、それらにトップ・フレーム・メンバーを用いて一体的に枠組され、そして、その枠組状態でその強度の必要なボトム・フレーム・メンバーおよび左右のサイド・フレーム・メンバーあるいはその枠組全体に高周波焼入れ、液体浸炭、ガス浸炭などの何れかの熱処理を施して使用するところの熱処理シート・バック・フレーム。
【発明の詳細な説明】
【技術分野】
【０００１】
この発明は、自動車シートに用いるところの熱処理シート・フレームに関し、詳細には、加工性、溶接性、および市場性に優れた一般鋼で成形され、そして、少なくとも応力の集中する強度の必要なフレーム部分に熱処理を施し、高張力鋼同等の強度を得て使用するところの熱処理シート・フレームに関する。
【背景技術】
【０００２】
自動車シートに用いるシート・フレームでは、応力が集中するサイド・フレーム・メンバーは、フランジ付け、Ｌ曲げフランジ付け、Ｕ曲げフランジ付け、および段付けなどの複雑な形状にプレス成形されて断面係数を高める構造が採られる。
そのような断面形状のサイド・フレーム・メンバーのプレス成形では、多くの工程が必要になり、また、最近では、高張力鋼を用いて強度向上を図る傾向にあるが、この高張力鋼では、割れが発生してプレス成形ができないことがあり、所望の形状を得るには工程数を増やしたり、タクトを下げたりして困難を生じている。
それに加えて、高張力鋼は、溶接性にも難があり、割れ防止のために余熱が必要であるなど工程が増加された。
さらに、高張力鋼は海外では、設備の関係で製造されず、入手不可能な面もあり、入手可能な国から搬入される必要があった。
【先行技術文献】
【特許文献】
【０００３】
特開２００７−３１２７９６公報
【発明の概要】
【発明が解決しようとする課題】
【０００４】
この発明の課題は、一般鋼で成形されて枠組みされ、枠組状態で少なくとも応力の集中する強度の必要なフレーム部分に熱処理を施して高張力鋼同等の強度を得るとことの熱処理シート・フレームを提供するにある。
【課題を解決するための手段】
【０００５】
この発明の熱処理シート・フレームは、フレーム・メンバーが一般鋼で成形されて一体的に枠組され、そして、その枠組状態でその強度の必要なフレーム部分あるいはその枠組全体に高周波焼入れ、液体浸炭、ガス浸炭などの何れかの熱処理を施して使用する。
【発明の効果】
【０００６】
この発明の熱処理シート・フレームでは、一般鋼が用いられることによって応力が集中するフレーム・メンバーがフランジ付け、Ｌ曲げフランジ付き、Ｕ曲げフランジ付き、段付き、および穴明きなどの複雑な形状にプレス成形可能になって断面係数が高められ、溶接も容易にし、そしてさらに、枠組状態で少なくとも応力の集中する強度の必要なフレーム部分あるいは枠組全体に熱処理を施し、高張力鋼同等の強度を得て使用可能され、そして、市場性に優れる。
【図面の簡単な説明】
【０００７】
【図１】乗用車のドライバー・シートに活用されるところのこの発明の熱処理シート・フレームの具体例を示した斜視図である。
【図２】図1の２−２線に沿って示した断面図である。
【図３】図1の３−３線に沿って示した断面図である。
【発明を実施するための形態】
【０００８】
この発明の熱処理シート・フレームは、フレーム・メンバーが一般鋼で成形されて一体的に枠組され、そして、その枠組状態でその強度の必要なフレーム部分あるいはその枠組全体に高周波焼入れ、液体浸炭、ガス浸炭などの何れかの熱処理を施して使用する。
【０００９】
この発明の熱処理シート・フレームで熱処理シート・クッション・フレームは、フロント・フレーム・メンバーおよび左右のサイド・フレーム・メンバーが一般鋼から複雑な形状に成形され、それらにリア・フレーム・メンバーを用いて一体的に枠組され、そして、その枠組状態で応力の集中するその強度の必要なフロント・フレーム・メンバーおよび左右のサイド・フレーム・メンバーあるいはその枠組全体に高周波焼入れ、液体浸炭、ガス浸炭などの何れかの熱処理を施して使用する。
【００１０】
この発明の熱処理シート・フレームで熱処理シート・バック・フレームは、ボトム・フレーム・メンバーおよび左右のサイド・フレーム・メンバーが一般鋼から複雑な形状に成形され、それらにトップ・フレーム・メンバーを用いて一体的に枠組され、そして、その枠組状態でその強度の必要なボトム・フレーム・メンバーおよび左右のサイド・フレーム・メンバーあるいはその枠組全体に高周波焼入れ、液体浸炭、ガス浸炭などの何れかの熱処理を施して使用する。
【実施例１】
【００１１】
以下、特定されて図示された具体例に基づいて、この発明の熱処理シート・フレームを説明するに、図1ないし図3は、乗用車のドライバー・シートに活用されるところのこの発明の熱処理シート・フレームの具体例１０を示し、そして、このシート・フレーム１０は、シート・トラック４５およびシート・リフター４６を組み込む熱処理シート・クッション・フレーム１１と、左右のリクライニング・デバイス４０、４１でそのシート・クッション・フレーム１１に前倒しおよび角度調整可能に支持される熱処理シート・バック・フレーム１２とで組み立てられ、そして、そのシート・クッション・フレーム１１が、そのシート・トラック４５でその乗用車のフロアに前後調整可能に据え付けられてそのシート・リフター４６で上下調整可能にされる。
【００１２】
その熱処理シート・クッション・フレーム１１は、フロント・フレーム・メンバー１３および左右のサイド・フレーム・メンバー１５、１６が一般鋼から複雑な形状にプレス成形され、それらに一般鋼の鋼管製リア・フレーム・メンバー１４を用いて一体的に枠組され、そして、枠組状態で応力の集中する強度の必要なフロント・フレーム・メンバー１３および左右のサイド・フレーム・メンバー１５、１６あるいはその枠組全体に高周波焼入れの熱処理が施され、そのフロント・フレーム・メンバー１３および左右のサイド・フレーム・メンバー１５、１６あるいはその枠組全体に高張力鋼同等の強度を得て使用される。
【００１３】
この熱処理シート・クッション・フレーム１１は、成形加工および溶接に優れ、しかもどこの国でも容易に入手でき、そして、熱処理、例えば、高周波焼入れ、液体浸炭（浸炭窒化）、ガス浸炭などの熱処理ができて高張力鋼同等の強度を得て使用可能にする一般鋼で製造される。
この熱処理シート・クッション・フレーム１１では、図１に示されたようにそのフロント・フレーム・メンバー１３が、一般鋼の鋼板から段付き１７、フランジ付き１８、スプリング掛け穴明き１９などの複雑な形状にプレス成形さ、また、その左右のサイド・フレーム・メンバー１５、１６も同様に一般鋼の鋼板からフランジ付き２０、およびパイプやデバイスの取付け穴明き２１、２２などの複雑な形状にプレス成形され、そして、それらがそのリア・フレーム・メンバー１４を用いて溶接で一体的に枠組され、次に、その枠組状態でその応力の集中する強度の必要なフレーム部分あるいは枠組全体に、この場合、その枠組全体に高周波焼入れが施されてその枠組全体を高張力鋼同等の強度に熱処理する。
そして、このシート・クッション・フレーム１１では、複数のＳ字スプリング・ワイヤ（図示せず）が、そのフロント・フレーム・メンバー１３とそのリア・フレーム・メンバー１４との間に左右方向に適宜の間隔を置いて並べて張られて仕上がる。勿論、その熱処理は、液体浸炭（浸炭窒化）、ガス浸炭などでもかまわない。
【００１４】
一方、その熱処理シート・バック・フレーム１２は、ボトム・フレーム・メンバー２４および左右のサイド・フレーム・メンバー２５、２６が一般鋼から複雑な形状にプレス成形され、それらに一般鋼の鋼管製トップ・フレーム・メンバー２３と一般鋼の鋼板製細長いアッパー・クロス・メンバー２７とを用いて一体的に枠組され、そして、その枠組状態でその応力の集中する強度の必要なボトム・フレーム・メンバー２４および左右のサイド・フレーム・メンバー２５、２６あるいはその枠組全体に高周波焼入れの熱処理が施され、そのボトム・フレーム・メンバー２４および左右のサイド・フレーム・メンバー２５、２６あるいはその枠組全体に高張力鋼同等の強度を得て使用される。
【００１５】
この熱処理シート・バック・フレーム１２もその熱処理シート・クッション・フレーム１１と同様に成形加工および溶接に優れ、しかもどこの国でも容易に手に入り、そして、熱処理、例えば、高周波焼入れ、液体浸炭（浸炭窒化）、ガス浸炭などの熱処理ができて高張力鋼同等の強度を得て使用可能にする一般鋼で製造される。
この熱処理シート・バック・フレーム１２では、図１ないし図３に示されたようにそのボトム・フレーム・メンバー２４が、一般鋼の鋼板から段付き３０、穴明き３１などの複雑な形状にプレス成形され、その左右のサイド・フレーム・メンバー２５、２６も同様に一般鋼の鋼板からＬ曲げフランジ付き３２、Ｕ曲げフランジ付き３３、段付き３４、およびスプリング掛け穴明き３５などの複雑な上端すぼまり形状にプレス成形され、そして、そのトップ・フレーム・メンバー２３が一般鋼の鋼管から所定の長さのブランクに切断され、そのブランクを折り曲げて両端に左右の溶接アーム２８、２９を有する逆Ｕ字形状に曲げ成形され、そしてさらに、そのアッパー・クロス・メンバー２７が一般鋼の鋼板から細長い短冊状ブランクに切断され、細長い穴明き３６の形状にプレス成形され、そして、それらが溶接で一体的に枠組され、次に、その枠組状態でその応力の集中する強度の必要なフレーム部分あるいはその枠組全体に、この場合、その枠組全体に高周波焼入れが施されてその枠組全体を高張力鋼同等の強度に熱処理する。
そして、このシート・バック・フレーム１２では、複数のＳ字スプリング・ワイヤ（図示せず）が、その左右のサイド・フレーム・メンバー２５、２６間に上下方向に適宜の間隔を置いて並べて張られて仕上げられる。勿論、その熱処理は、液体浸炭（浸炭窒化）、ガス浸炭などでもかまわない。
【００１６】
したがって、この熱処理シート・フレーム１０では、そのフレーム・メンバー１３、１４、１５、１６および２３、２４、２５、２６が一般鋼で成形されて溶接で一体的に枠組され、そして、その枠組状態で応力が集中して強度が必要になるそのフレーム・メンバー１３、１４、１５、１６および２３、２４、２５、２６あるいはその枠組全体に高周波焼入れ、液体浸炭、浸炭窒化、ガス浸炭などの何れかの熱処理を施して供するので、その応力が集中するそのフレーム・メンバー１３、１５、１６および２４、２５、２６が、段付き１７、３０、３４、フランジ付き１８、Ｌ曲げフランジ付き３２、Ｕ曲げフランジ付き３３、穴明き２１、２２、３１、３５などの複雑な断面形状に成形可能になって断面係数が高められ、成形時、割れが未然に防止され、溶接できて溶接割れも未然に防止され、そして、その応力が集中して強度が必要になるフレーム部分あるいはその枠組全体に高張力鋼同等の強度が得られて必要なフレーム強度が確保され、そのようにそのフレーム・メンバー１３、１４、１５、１６および２３、２４、２５、２６が一般鋼から成形されるので、成形加工性、溶接性に優れるに加えてその一般鋼はどこの国でも容易に入手できるに伴ってどこの国でも製造でき、市場性に優れる。
【００１７】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１８】
上述から理解されるように、この発明の熱処理シート・フレームでは、フレーム・メンバーが一般鋼で成形されて一体的に枠組され、そして、その枠組状態でその強度の必要なフレーム部分あるいはその枠組全体に高周波焼入れ、液体浸炭、ガス浸炭などの何れかの熱処理を施して使用するので、この発明の熱処理シート・フレームでは、応力が集中して強度が必要になるフレーム部分、すなわち、フレーム・メンバーが、複雑な断面形状に成形可能になって断面係数が高められ、成形時、割れが未然に防止され、溶接が容易になって溶接割れも未然に防止され、そして、その応力が集中して強度が必要になるそのフレーム部分、すなわち、そのフレーム・メンバーあるいはその枠組全体に高張力鋼同等の強度が得られて必要なフレーム強度が確保され、そのようにそのフレーム・メンバーが、一般鋼から成形されるので、成形加工性、溶接性が優れるに加えてその一般鋼がどこの国でも容易に入手できるに伴なってどこの国でも製造でき、市場性に優れ、その結果、自動車シートにとって非常に有用で実用的である。
【符号の説明】
【００１９】
１０  熱処理シート・フレーム
１１  熱処理シート・クッション・フレーム
１２  熱処理シート・バック・フレーム
１３  フロント・フレーム・メンバー
１４  リア・フレーム・メンバー
１５  左のサイド・フレーム・メンバー
１６  右のサイド・フレーム・メンバー
１７  段付き
１８  フランジ付き
１９  スプリング掛け穴明き
２０  フランジ付き
２１  取付け穴明き
２２  取付き穴明き
２３  トップ・フレーム・メンバー
２４  ボトム・フレーム・メンバー
２５  左のサイド・フレーム・メンバー
２６  右のサイド・フレーム・メンバー
２７  アッパー・クロス・メンバー
２８  左の溶接アーム
２９  右の溶接アーム
３０  段付き
３１  穴明き
３２  Ｌ曲げフランジ付き
３３  Ｕ曲げフランジ付き
３４  段付き
３５  スプリング掛け穴明き
３６  細長い穴明き
４０  左のリクライニング・デバイス
４１  右のリクライニング・デバイス
４２  インターロック・ロッド
４３  左のヘッドレスト・ホルダー
４４  右のヘッドレスト・ホルダー
４５  シート・トラック
４６  シート・リフター
４７  左のアンカー・レール
４８  右のアンカー・レール
４９  左のスライド・レール
５０  右のスライド・レール
【図１】
2011235789.tif 000003
【図２】
2011235789.tif 000004
【図３】
2011235789.tif 000005